(57)【要約】【課題】  ステープル止めによって上蓋を閉止する方法では、高齢者にとって負担の大きな作業であると共に、収納物に傷を付けたり、使用後には分別のために取り除かなければならない問題がある。【解決手段】  対向位置に配した長さ面と幅面で周面を形成し、それぞれの一側にフラップを延設して上蓋を形成する段ボール箱において、矩形状の上蓋形成フラップは、それぞれの一側を隣接する他側に重ねて上蓋を閉止する構造であって、該上蓋形成フラップの少なくとも一つは一側を基部から４０°〜５０°切り欠いた台形とし、これに隣接する上蓋形成フラップの一つの他側に基部から５０°〜４０°の折罫を設ける。【選択図】      図１
2007084128.tif 000002
【特許請求の範囲】
【請求項１】
対向位置に配した長さ面と幅面で周面を形成し、それぞれの一側にフラップを延設して上蓋を形成する段ボール箱において、矩形状の上蓋形成フラップは、それぞれの一側を隣接する他側に重ねて上蓋を閉止する構造であって、該上蓋形成フラップの少なくとも一つは一側を基部から４０°〜５０°切り欠いた台形とし、これに隣接する上蓋形成フラップの一つの他側に基部から５０°〜４０°の折罫を設けたことを特徴とする段ボール箱における上蓋閉止構造。
【発明の詳細な説明】
【技術分野】
【０００１】
本発明は、段ボール箱において上蓋形成フラップによる上蓋を閉じる構造の改良に関するものである。
【背景技術】
【０００２】
従来より包装箱として段ボール箱が広く利用されている。段ボール箱として、周面を形成する長さ面と幅面にフラップを延設した、いわゆるＡ型の段ボール箱が一般的であり、上下のフラップで上蓋及び底板が形成される。フラップによる上蓋や底板の封緘方法として、ステープル止めや粘着テープ貼りが一般的に行われている。また、特許文献１に示すように上蓋を構成するフラップに設けた嵌合片と嵌合用切欠を係合させて封緘する構造がある。
【特許文献１】特開２００４−１７５４２７
【発明の開示】
【発明が解決しようとする課題】
【０００３】
上述したステープルや粘着テープを用いる封緘方法では、これらのステープラー（ボクサー）などの器具を用意しておかなければならないことや、広い作業現場ではほとんどの場合手元に存在しないため、遠くまで取りに行く必要があり、封緘作業に著しい手間が生じる。特に、ステープル止めの場合は、高齢者にとって負担の大きな作業であると共に、収納物に傷を付けたり、使用後には分別のために取り除かなければならない問題があった。
【０００４】
また、フラップに設けた嵌合片等を差し込んで封緘させる構造では、段ボール箱に一杯詰め込んだ状態では、嵌合片の差し込みが困難であることが依然として解消しておらず、作業性が著しく低下する。しかも、フラップに設けた嵌合片は千切れたり変形しやすく、封緘機能が全くなくなったり著しく阻害されることがあり、再利用しにくくなる問題も有していた。
【課題を解決するための手段】
【０００５】
そこで本発明者等は上記問題に鑑み鋭意研究の結果、本発明を成し得たものでありその特徴とするところは、対向位置に配した長さ面と幅面で周面を形成し、それぞれの一側にフラップを延設して上蓋を形成する段ボール箱において、矩形状の上蓋形成フラップは、それぞれの一側を隣接する他側に重ねて上蓋を閉止する構造であって、該上蓋形成フラップの少なくとも一つは一側を基部から４０°〜５０°切り欠いた台形とし、これに隣接する上蓋形成フラップの一つの他側に基部から５０°〜４０°の折罫を設けたことにある。
【０００６】
ここで、本明細書中でいう「上蓋形成フラップ」とは、段ボールで形成する箱体において、対向位置に配した周面を構成する長さ面と幅面のそれぞれの一側に延設した４枚のフラップをいう。例えば、長さ面と幅面の両側にフラップを延設したＡ型やＡ型から片フラップを省いてかぶせ箱としたＣ型などの段ボール箱である。本発明における閉止構造としては、上蓋形成フラップのそれぞれの一側を隣り合う他側に順次重ね合わせることによって閉じることを基本にしている。
【０００７】
本発明においては、上蓋形成フラップの一側を隣接する他側に重ね合わせ易くするため、上蓋形成フラップの少なくとも一つを、一側の基部から４０°〜５０°切除した台形にする。そして、これに隣接する一つの上蓋形成フラップの他側に、基部から５０°〜４０°の折罫を設けた構造としている。このように形成した上蓋の閉じ方は、先ず折罫を設けていない３枚のフラップで隣り合う一側を他側に順次重ねて閉じる。次に、折罫を設けたフラップの三角形状の折曲片を折罫部分で閉じる方向に少し折り曲げ、これを隣接するフラップの一側の下に嵌め込むことにより、４枚のフラップのそれぞれが一側を他側に重ねた状態となって封緘作業が完了する。
【０００８】
折罫を設けたフラップの折罫と、これに隣接する台形のフラップとは、閉止したときに、折罫が台形に切除した部分の線上若しくはその内方に位置させるようにするのが好ましく、不用意に開きにくくすることができる。
【０００９】
本発明においては、段ボール箱の底板の閉止手段は、特に限定するものではなく、ステープルや粘着テープなどで閉止してもよい。つまり、本発明の目的とするところは、主たる作業である収穫作業やその搬出作業を効率よく行うために、容器状に形成した段ボール箱に収穫物などを収納した後の、上蓋を閉止して包装する作業性を高めるためである。
【発明の効果】
【００１０】
本発明に係る段ボール箱における上蓋閉止構造は、上蓋形成フラップの少なくとも一つは一側を基部から４０°〜５０°切り欠いた台形とし、これに隣接する上蓋形成フラップの一つの他側に基部から５０°〜４０°の折罫を設けたことにより、収納物を収納した後の上蓋を閉じる作業が、ステープラーなどの器具を用いることなく行うことができるため、梱包作業のみならず、収穫作業や搬出作業の効率化を図ることができる。
【００１１】
特に、本発明では上蓋形成フラップに折罫を設けたり切欠部を設けた構造として、これらを相互に係合させることによって閉止させるため、高齢者でも容易に梱包することができる。しかも、差込片など破損しやすい部分がないため梱包開梱の繰り返しにも耐えることができ、再利用の頻度が高くなるなど実用上極めて有益な効果を有するものである。
【発明を実施するための最良の形態】
【００１２】
矩形状の上蓋形成フラップのそれぞれの一側を隣接する他側に重ねて上蓋を閉止する構造であり、該上蓋形成フラップの少なくとも一つを一側の基部から４０°〜５０°切り欠いた台形とし、これに隣接する上蓋形成フラップの一つの他側に基部から５０°〜４０°の折罫を設ける。
【実施例１】
【００１３】
図１（ａ）は、本発明に係る段ボール箱における上蓋閉止構造の一実施例を示す段ボール箱１である。この段ボール箱１は上蓋を構成する上蓋形成フラップ１１の一つを一側の基部から４５°切り欠いた台形フラップ１２としている。そして、台形フラップ１２に隣接するフラップの台形に切除した側に、基部から４５°の折罫１３を設け、三角形状の折曲片１４を形成している。
【００１４】
上蓋形成フラップ１１は、折罫１３を設けたフラップ以外の３つのフラップを図のように一側が他側に交互に重ねて閉じる。この場合、台形フラップ１２の台形に切除した側の他側が下になるように組む。そして、折罫１３で折り曲げた折曲片１４を、台形に切除した部分に少し持ち上げながら下に差し込むことによって閉止が完了する。上蓋を閉止した状態は、同図（ｂ）のように折罫１３と台形に切除した端部とがほぼ同じ位置になる。閉止した状態では、折罫１３が図の鎖線のように台形フラップ１２の下に隠れるような角度にすることで、閉止状態の保持をより確実にすることができる。
【実施例２】
【００１５】
図２（ａ）は、本発明に係る段ボール箱における上蓋閉止構造の他の実施例を示す段ボール箱１である。この段ボール箱１は上蓋を構成する各上蓋形成フラップ１１の長さを短くすると共に、それぞれの一側の基部から４５°切り欠いた台形フラップ１２としている。そして、台形フラップ１２の一つに台形に切除した側と反対側に、基部から４５°の折罫１３を設け、三角形状の折曲片１４を形成している。
【００１６】
本例の段ボール箱１は、幅３６０mm、長さ６００mm、高さ１９０mmのＡ型段ボール箱であり、底面形成フラップの長さが１８０mm、上蓋形成フラップ２の長さを１１０mmとしている。これのブランクシートを同図（ｂ）に示す。上蓋形成フラップ２のそれぞれを長さが短い台形フラップ２１としているため、各フラップの一側を他側に重ねて閉止する作業が極めて簡易となる。さらに、幅面（短い方の周面）に延設したフラップに折罫２２を設けているため、長さ面（長い方の周面）に延設した長い方のフラップが持ち上げやすく、折曲片２３が差し込み易くなる。
【図面の簡単な説明】
【００１７】
【図１】本発明に係る段ボール箱における上蓋閉止構造の一実施例を示すもので、（ａ）は斜視図、（ｂ）は閉止した状態の平面図である。（実施例１）
【図２】本発明に係る段ボール箱における上蓋閉止構造の他の実施例を示すもので、（ａ）は斜視図、（ｂ）は（ａ）のブランクシートである。（実施例２）
【符号の説明】
【００１８】
１  段ボール箱
１１  上蓋形成フラップ
１２  台形フラップ
１３  折罫
１４  折曲片
【図１】
2007084128.tif 000003
【図２】
2007084128.tif 000004